(57)【要約】【課題】揮発性メモリに順次記憶させた火災発報や操作等の履歴情報を、電源が遮断される前に退避保存させ、復電後は、確実かつ効率よく回復させることができる火災受信機を提供する。【解決手段】主電源ｅと予備電源Ｅとの電圧レベルを監視する電源監視回路４と、上記揮発性メモリ５ａに記憶された履歴情報を退避保存し、かつ消去可能な不揮発性メモリ５ｂ（Ｍ）と、上記電源監視回路３を参照して、上記主電源、予備電源のいずれかが遮断されたときには、上記揮発メモリ５ａに記憶している履歴情報を、上記不揮発性メモリ５ｂ（Ｍ）に退避保存させる制御処理部２とを備える。【選択図】図１
2005122603.tif 000002
【特許請求の範囲】
【請求項１】
火災発報や、操作等のイベントが発生する毎に、それらを履歴情報として、揮発性メモリに記憶させて、必要なデータ管理を行う機能を備えた火災受信機において、
主電源と予備電源との電圧レベルを監視する電源監視回路と、
上記揮発性メモリに記憶された履歴情報を退避保存し、かつ消去可能な不揮発メモリと、
上記電源監視回路を参照して、上記主電源、予備電源のいずれかが遮断されたときには、上記揮発メモリに記憶している履歴情報を、上記不揮発性メモリに退避保存させる制御処理部とを備えたことを特徴とした火災受信機。
【請求項２】
請求項１において、
上記制御処理部は、上記主電源、予備電源の双方が遮断した後、上記主電源、予備電源のいずれかが復電したときには、その復電前の電源遮時に、上記不揮発性メモリに退避保存させた最新の履歴情報を上記揮発性メモリに転送させて回復させ、その後、上記主電源、予備電源の双方が復電したときには、上記不揮発メモリの所定の記憶領域を消去するようにしている、火災受信機。
【請求項３】
請求項２において、
上記不揮発メモリは、履歴情報を順次退避させるための複数の書き込み領域を含んだ、少なくとも１以上の消去可能領域を備えており、
上記制御処理部は、上記不揮発メモリに退避保存した履歴情報が上記揮発メモリに転送され、回復された後、更に、上記主電源、上記予備電源の双方が復電したときには、上記不揮発メモリの消去を、上記消去可能な領域単位で行う構成にしている、火災受信機。
【請求項４】
請求項１〜３のいずれかにおいて、
上記制御処理部は、上記主電源、上記予備電源のいずれかが遮断されたときに、上記揮発メモリに記憶されている履歴情報と、上記不揮発メモリに退避保存されている直前の履歴情報とを比較し、それらが完全一致する場合は、上記揮発メモリに記憶されている履歴情報を上記不揮発メモリには退避保存させないことを特徴とした火災受信機。
【請求項５】
請求項１〜４のいずれかにおいて、
上記制御処理部は、上記履歴情報に、上記電源遮断時における各種設定状況、全出入力状況等の情報を加えて、上記不揮発メモリに退避保存するようにしたことを特徴とする火災受信機。
【請求項６】
請求項１〜５のいずれかにおいて、
上記不揮発性メモリに退避保存される履歴情報の種別を予め選択指定できる操作設定手段をさらに備えた火災受信機。
【発明の詳細な説明】
【技術分野】
【０００１】
本発明は、火災発報や操作等の履歴情報を記憶し、管理することができる火災受信機に係り、さらに詳しくは、電源が遮断された場合でも、揮発性メモリに記憶した履歴情報を確実に、かつ効率よく回復させることができる火災受信機に関する。
【背景技術】
【０００２】
従来より、監視回線に接続した火災感知器の発報や防排煙機器等の作動状態や接続状況等をイベントとして火災受信機側で一元に監視し管理できるよう、これらのイベントを履歴情報として、メモリに記憶しておき、必要に応じて読み出し、表示させたり、印字する機能を備えた火災受信機が知られている。例えば下記の特許文献（特開２００２−０９２７５３号公報）が存在する。
【０００３】
このような火災受信機では、履歴情報を記憶するためＲＡＭがよく使用されているが、このＲＡＭは、ＣＰＵが直接、読み出し、書き込みを行うことができ、処理速度が速いというメリットがある反面、揮発性メモリのため電源を切断すると記憶内容が消去されてしまう欠点がある。そのため、火災受信機のメモリとして使う場合は、メモリデータ保持用電源を別途設置する必要があった。
【０００４】
また、メモリ機能、入出力機能を内蔵させた１チップのＣＰＵが使用されることもあるが、この場合、メモリ容量が小さく、電源が遮断されるとＣＰＵのリセットが必要であるため、ＣＰＵ自体のバックアップができないという問題があった。
そこで、近年、履歴情報のメモリとして、電源を切っても記録内容を保持することができ、書き込んだ情報を電気的に消去することができる不揮発性メモリ（ＥＥＰＲＯＭ等）を使用するものが採用されている。
【０００５】
【特許文献１】特開２００２−０９２７５３号公報
【発明の開示】
【発明が解決しようとする課題】
【０００６】
しかしながら、このような不揮発性メモリは、ＲＡＭに比べて処理速度が遅く、またＲＡＭのようにランダムに書き換えすることができないというデメリットがある。また、一部の履歴情報を書き換えたい場合でも、保持しているデータを一旦全て消去しなければ、書き換えることができず、また書き換え回数にも制限があるため効率よく稼動させる必要がある。
【０００７】
本発明は、このような事情に鑑みてなされたものであり、揮発性メモリと不揮発性メモリとを組み合わせ、履歴情報の退避保存をソフト的に処理することで、電源が遮断された後も、揮発性メモリに記憶されていた履歴情報を確実に、かつ効率良く回復させることができる火災受信機を提供することを目的としている。
【課題を解決するための手段】
【０００８】
上記目的を達成するために提案される請求項１は、火災発報や、操作等のイベントが発生する毎に、それらを履歴情報として、揮発性メモリに記憶させて、必要なデータ処理を行う機能を備えた火災受信機において、主電源と予備電源との電圧レベルを監視する電源監視回路と、上記揮発性メモリに記憶された履歴情報を退避保存し、かつ消去可能な不揮発メモリと、上記電源監視回路を参照して、上記主電源、予備電源のいずれかが遮断されたときには、上記揮発メモリに記憶している履歴情報を、上記不揮発性メモリに退避保存させる制御処理部とを備えている。
【０００９】
請求項２は、請求項１において、上記制御処理部は、上記主電源、予備電源の双方が遮断した後、上記主電源、予備電源のいずれかが復電したときには、その復電前の電源遮断時に上記不揮発性メモリに退避保存させた最新の履歴情報を上記揮発性メモリに転送させて回復させ、その後、上記主電源、予備電源の双方が復電したときには、上記不揮発メモリの所定の記憶領域を消去し、次の履歴情報を退避させる記憶領域を確保させている。
【００１０】
請求項３は、請求項２において、上記不揮発メモリは、履歴情報を順次退避させるための複数の書き込み領域を含んだ、少なくとも１以上の消去可能領域を備えており、  上記制御処理部は、上記不揮発メモリに退避保存した履歴情報が上記揮発メモリに転送され、回復された後、更に、上記主電源、上記予備電源の双方が復電したときには、次の履歴情報を退避保存する記憶領域を確保するために、上記不揮発メモリの消去を、上記消去可能な領域単位で行う構成としている。
【００１１】
請求項４は、請求項１〜３のいずれかにおいて、上記制御処理部は、上記主電源、上記予備電源のいずれかが遮断されたときに、上記揮発メモリに記憶されている履歴情報と、上記不揮発メモリに退避保存されている直前の履歴情報とを比較し、それらが完全一致する場合は、上記揮発メモリに記憶されている履歴情報を上記不揮発メモリには退避保存させないことを特徴としている。
【００１２】
請求項５は、請求項１〜４のいずれかにおいて、上記制御処理部は、上記履歴情報に、上記電源遮断時における各種設定状況、全出入力状況等の情報を加えて、上記不揮発メモリに退避保存するようにしたことを特徴としている。
請求項６は、請求項１〜５のいずれかにおいて、上記不揮発性メモリに退避保存される履歴情報の種別を予め選択指定できる操作設定手段をさらに備えている。
【発明の効果】
【００１３】
請求項１に記載の発明によれば、揮発性メモリに記憶された履歴情報を主電源、予備電源のいずれかが遮断されると、不揮発性メモリへの退避保存を行うので、双方の電源が遮断される前に、履歴情報を確実に退避保存することができ、火災受信機の信頼性が向上する。また、メモリデータ保持用電源を別途設置する必要がないため、コストの低減が図れる。
【００１４】
請求項２及び請求項３に記載の発明によれば、履歴情報の不揮発性メモリへの書き込みと消去のタイミングを分散させることにより、処理時間を短縮でき、メモリへの負荷を軽減することができる。
【００１５】
また、新たな履歴情報を不揮発性メモリに退避保存させる記憶領域を常に確保することができる。さらには、不揮発性メモリは複数の書き込み領域を有しているため、不揮発性メモリの劣化を防止することができる。
【００１６】
請求項４に記載の発明によれば、不揮発性メモリへの書き込み回数を減らすことにより、メモリの劣化を防止することができる。
請求項５に記載の発明によれば、履歴情報のみでなく、例えば電源断時の全スイッチ状態等の情報も退避保存させて、復電後には回復させることができる。
請求項６に記載の発明によれば、電源断時に退避保存しておくべき必要な情報を予め選択できるので、現場のニーズに的確に対応できる。
【発明を実施するための最良の形態】
【００１７】
以下に、本発明の実施の形態について説明する。
【実施例】
【００１８】
図１は、本発明の火災受信機の基本構成の一例をブロック図で示したものである。
この火災受信機１は、少なくとも監視回線Ｌ１…Ｌｎ、Ｌｃを介して火災感知器Ｓ、発信器などが接続されており、主電源ｅと予備電源ｅとから電源供給を受け稼動するものであり、受信した信号や操作により各種制御処理を行う制御処理部２と、制御停止や動作試験のための各種操作スイッチ及び動作状態等を表示する表示／操作部３と、主電源ｅ及び予備電源Ｅの電圧レベルを監視する電源監視回路４と、火災発報や操作等を履歴情報として記憶するメモリ５と、監視回線Ｌ１…Ｌｎ、Ｌｃに接続された火災感知器Ｓ、発信器などの発報を検出する火災受信検出回路６と、主ベルＢとを備えている。
【００１９】
ここに、主電源ｅは商用電源を想定し、予備電源Ｅは、ニッケル・カドミウム電池等の電池を想定しているが、これらに限定されない。予備電源Ｅは主電源ｅが供給されない場合に、火災受信機１の機能維持するためのものである。
【００２０】
メモリ５は、揮発性メモリであるＲＡＭ５ａと、書き込み消去の可能な不揮発性メモリであるＲＯＭ５ｂを備えている。ＲＡＭ５ａには、火災感知器Ｓの発報や操作部３でのスイッチ操作等のイベントが発生する毎に、それらを履歴情報として、順次記憶されており、例えば管理者が必要に応じて随時読み出し、表示部３に表示させたり、印字したりして、過去の発報・操作履歴を確認することができる。
【００２１】
図１Ａは、このようなＲＡＭ５ａに記憶する履歴情報を示す例図である。図のようにイベント内容に対応して履歴コードが付され、分カウンタにより、イベントの発生時期を把握することができる。この分カウンタ値は、火災受信機１が起動すると「０」から始まり、１分経過毎に１加算される構成とする。もちろんＲＡＭ５ａに記憶する履歴情報の構成はこれに限られない。
【００２２】
制御処理部２は、電源監視回路４を参照して、上記主電源ｅ、予備電源Ｅのいずれかが遮断されたときには、ＲＡＭ５ａに記憶している履歴情報を、ＲＯＭ５ｂに退避保存させ、後述する基本動作をなす。
【００２３】
図２は、この基本動作の一例を示すフローチャートである。
制御処理部２が主電源ｅ、予備電源Ｅのいずれか一方が断状態にあると検出すると、ＲＡＭ５ａに記憶している履歴情報をＲＯＭ５ｂに自動的に退避保存する。
【００２４】
これによれば、ＲＡＭ５ａに記憶された履歴情報は、主電源ｅ、予備電源Ｅの双方が遮断された場合に先駆けて確実に退避保存することができ、火災受信機の信頼性が向上する。また、メモリデータ保持用電源も別途設置する必要がないため、コストの低減が図れる。
【００２５】
なお、図２では、主電源、予備電源の双方が復電しない限り、退避処理に移行しないようにしているが、これは一方の復電で退避保存させると、退避処理が繰り返し行われてしまうためである（以上、ステップ１０→１４、請求項１）。
【００２６】
図３は、主電源ｅ、予備電源Ｅの双方が遮断した後の基本動作の一例を示すフローチャートである。ここでの電源回復は、主電源ｅ、予備電源Ｅの双方が遮断した後、上記主電源ｅ、予備電源Ｅのいずれかが復電したことを示している。
【００２７】
制御処理部２は、電源が復電すると、復電前の電源遮断時にＲＯＭ５ｂに退避保存させた最新の履歴情報をＲＡＭ５ａに転送して回復させる。その後、主電源ｅ、予備電源Ｅの双方が復電すると、次の履歴情報を退避させる記憶領域を確保するために、ＲＯＭ５ｂの所定の記憶領域を消去する（以上、ステップ２０→２４、請求項２）。
【００２８】
このような本発明を実行する場合、ＲＯＭ５ｂへの履歴情報の退避保存と、クリアは、メモリの構成に応じて変化する。
【００２９】
図４は、履歴情報を退避保存するための不揮発性メモリの一例を示しており、特に１つの消去可能領域を設けたＲＯＭ５ｂ（Ｍ）を示している。
このようなＲＯＭ５ｂ（Ｍ）は、履歴情報を順次退避保存させる複数の書き込み領域Ｍ（＃１）〜Ｍ（＃ｎ）を有しており、履歴情報の退避保存は、予め特定された循環順位に従って、書き込み領域Ｍ（＃ｎ）単位で順次一括して行われ、メモリ消去は、消去可能領域Ｍａの単位で一括して行われる。
【００３０】
例えば、消去可能領域Ｍａが一つしかない図４に示したメモリでは、履歴情報は、予め特定された循環順位に従って、Ｍ（＃１）→Ｍ（＃２）→Ｍ（＃ｎ）の書き込み領域に書き込まれ、書き込みがＭ（＃ｎ）まで進んだ段階で、消去可能領域Ｍａに退避保存されているすべての情報はクリアされ、次の履歴情報の退避保存に備えるという動作をなされるが、本発明では、履歴情報のＲＯＭ５ｂ（Ｍ）への書き込みと消去のタイミングを分散させることにより、処理時間を短縮でき、メモリへの負荷を軽減することができる（請求項３）。
【００３１】
また、新たな履歴情報をＲＯＭ５ｂ（Ｍ）へ退避保存させる記憶領域を常に確保することができ、さらには複数の書き込み領域Ｍ（＃１）〜Ｍ（＃ｎ）を有しているため、メモリの劣化を防止することもできる。
【００３２】
図５は、複数の消去可能領域を設けたＲＯＭ５ｂ（Ｍ’）を示し、図では２つの消去可能領域Ｍａ、Ｍｂを有している。履歴情報の退避保存は、前述したように、予め特定された循環順位に従って、書き込み領域単位で順次一括して行われ、メモリ消去は、消去可能領域Ｍａ、Ｍｂの単位で一括して行われる。
【００３３】
図６は、図５に示したＲＯＭ５ｂ（Ｍ’）を使用した場合の履歴情報の退避保存と、クリアの基本動作の一例を示したフローチャートである。
【００３４】
図６の電源回復も、図４の場合と同一である。
制御処理部２は、電源が復電すると、復電前の電源遮断時にＲＯＭ５ｂ（Ｍ）に退避保存させた最新の履歴情報を検索し、ＲＡＭ５ａに転送して回復させる。その後、主電源ｅ、予備電源Ｅの双方が復電すると、ＲＡＭ５ａに転送した最新の履歴情報が書き込まれていた領域が最後であるか否か判別する。この判別の結果、最後であると判断すると（例えば図５ではＭ（＃ｎ））、次の履歴情報を退避させる記憶領域を確保するためにＲＯＭ５ｂ（Ｍ）の所定の記憶領域（例えば図５ではＭｂ）を消去する。
【００３５】
すなわち、不揮発メモリ５ｂ（Ｍ’）からは、電源遮断前にＲＯＭ５ｂ（Ｍ’）に退避保存させた最新の履歴情報をＲＡＭ５ａに転送し、回復させ、その後、双方の電源が復電したときに、消去可能領域を消去すべきであれば、それを消去し、そうでない場合には、退避保存された履歴情報の消去せず、次の消去のタイミングまで保持しておく（以上、ステップ３０→３５、請求項３）。
【００３６】
これによれば、履歴情報のＲＯＭ５ｂ（Ｍ’）への書き込みと消去のタイミングを分散させることにより、メモリへの負荷を軽減することができ、処理時間を短縮することができる。また、ＲＯＭ５ｂ（Ｍ’）へ退避保存させる記憶領域を常に確保することができ、さらには複数の書き込み領域を有しているため、ＲＯＭ５ｂ（Ｍ’）の劣化を防止することができる。
【００３７】
なお、ＲＯＭ５ｂ（Ｍ’）をフラッシュメモリで構成した場合、フラッシュメモリの履歴情報の退避保存は、書き込み領域単位で順次所定の順序行われる（一括保存）ので、復電時に回復させた履歴情報を退避保存していた書き込み領域が、消去可能領域内で最後の循環順位となる書き込み領域に相当する場合には、次の循環順位にある消去可能領域が消去されるが、そうでない場合には、次の履歴情報は、次の循環順位にある書き込み領域に退避保存され、フラッシュの回数を少なくすることで劣化を防止できる。
【００３８】
図７は、履歴情報を退避保存させる場合の基本動作を示したフローチャートである。
制御処理部２は、主電源ｅ、予備電源Ｅのいずれか一方が断状態にあると検出すると、ＲＯＭ５ｂに退避保存してある履歴情報を検索し、ＲＡＭ５ａが現在記憶保持している履歴情報と照合する。そこで、双方の履歴情報が完全一致すれば、ＲＯＭ５ｂへの退避保存せず、不一致の場合のみ、ＲＡＭ５ａに記憶している履歴情報をＲＯＭ５ｂへ退避保存する（以上、ステップ４０→４６、請求項４）。
【００３９】
すなわち、主電源ｅ、予備電源Ｅのいずれかが遮断され、履歴情報をＲＯＭ５ｂに退避保存すべきときに、ＲＡＭ５ａに保存されている履歴情報が復電前に退避保存してある最新の履歴情報と完全一致するときは（電源が遮断され、復電した後に、なんのイベントも起こらなかったとき）、不揮発メモリ５ｂへの書き込みは行わない。
これによれば、ＲＯＭ５ｂへの書き込み回数を減らすことができるので、メモリの劣化を防止できる。
【００４０】
ここで、履歴情報が完全一致するか否かは、ＲＯＭ５ｂに退避保存されているデータ領域全体を比較参照する構成としてもよいし、イベント発生フラグを設けて、その有無で判断する構成としてもよい。イベント発生フラグによる場合は、例えばＲＯＭ５ｂへ退避保存した時にはオフ、次にイベントが発生し、履歴情報をＲＡＭ５ａに記憶するときにオンとするフラグをたてることで、履歴データの書き換えの有無を判断する。
また、履歴情報は、火災発報や操作等（図１Ａ参照）のイベントに限られず、電源遮断時における各種設定状況、全出入力状況等の情報を加えて、上記不揮発メモリに退避保存するようにしてもよい（請求項５）。
【００４１】
このように履歴情報のみでなく、例えば電源断時の全スイッチ状態等の情報も退避保存することができるので、電源断時にどのような状態だったのか知ることができ、電源復旧後の対処に役立てることができる。
さらに、不揮発性メモリ５ｂに退避保存される履歴情報は、予め、その種別を選択指定できるようにしてもよい（請求項６）。これによれば、電源断時に退避保存しておくべき必要な情報のみを退避保存できるので、履歴情報の確認や抽出がしやすくなる。
【図面の簡単な説明】
【００４２】
【図１】本発明の火災受信機の基本構成の一例を示すブロック図
【図１Ａ】履歴情報の揮発性メモリの一例を示す図
【図２】履歴情報を電源遮断時に退避保存させる基本動作を示すフローチャート
【図３】復電後における履歴情報の回復動作と、不揮発性メモリの消去動作を示すフローチャート
【図４】不揮発性メモリの構成を示す例図
【図５】複数の消去可能領域を設けた不揮発性メモリの例を示す例図
【図６】複数の消去可能領域を設けた不揮発性メモリを用いての復電後における履歴情報の回復動作と、不揮発性メモリの消去動作を示すフローチャート
【図７】回復させた履歴情報を比較して、退避保存させる場合の基本動作を示すフローチャート
【符号の説明】
【００４３】
１    火災受信機
２    制御処理部
３    表示／操作部
４    電源監視回路
５    メモリ
５ａ  揮発性メモリ  ＲＡＭ
５ｂ  不揮発性メモリ  ＲＯＭ（Ｍ、Ｍ’）
６    火災受信検出回路
ｅ    主電源
Ｅ    予備電源
【図１】
2005122603.tif 000003
【図１Ａ】
2005122603.tif 000004
【図２】
2005122603.tif 000005
【図３】
2005122603.tif 000006
【図４】
2005122603.tif 000007
【図５】
2005122603.tif 000008
【図６】
2005122603.tif 000009
【図７】
2005122603.tif 000010